(57)【要約】【課題】複数の移動通信システムが混在する際において、それぞれの移動通信システムに対応する移動端末装置及び無線基地局装置を提供すること。【解決手段】本発明の移動端末装置は、相対的に狭いシステム帯域をコンポーネントキャリアとし、複数のコンポーネントキャリアを集合化してなる相対的に広いシステム帯域に割り当てられた上下リンクで送受信する無線通信システムの移動端末装置であって、前記移動端末装置は、下りリンクに割り当てられた個々のコンポーネントキャリアの報告情報を含む上り制御信号を符号化・データ変調する符号化・データ変調部１０１ａ〜１０１Ｎと、前記符号化・データ変調後の制御信号を上り通信チャネルにマッピングするマッピング部１０２ａ〜１０２Ｎと、を具備することを特徴とする。【選択図】図４
2010074754.tif 000002
【特許請求の範囲】
【請求項１】
相対的に狭いシステム帯域をコンポーネントキャリアとし、複数のコンポーネントキャリアを集合化してなる相対的に広いシステム帯域に割り当てられた上下リンクで送受信する無線通信システムの移動端末装置であって、前記移動端末装置は、下りリンクに割り当てられた個々のコンポーネントキャリアの報告情報を含む上り制御信号を符号化・データ変調する符号化・データ変調手段と、前記符号化・データ変調後の制御信号を上り通信チャネルにマッピングするマッピング手段と、を具備することを特徴とする移動端末装置。
【請求項２】
前記符号化・データ変調手段は、下りリンクに割り当てられたコンポーネントキャリア毎にあり、前記マッピング手段は、各コンポーネントキャリアに対応する、相対的に狭いシステム帯域用の上り制御チャネルにそれぞれの上り制御信号をマッピングすることを特徴とする請求項１記載の移動端末装置。
【請求項３】
前記符号化・データ変調手段は、下りリンクに割り当てられた集合化されたコンポーネントキャリアの制御信号を符号化・データ変調し、前記マッピング手段は、前記集合化されたコンポーネントキャリアに対応する、相対的に広いシステム帯域用の上り通信チャネルに、前記集合化されたコンポーネントキャリアの上り制御信号をマッピングすることを特徴とする請求項１記載の移動端末装置。
【請求項４】
前記上り通信チャネルが上り制御チャネルであることを特徴とする請求項３記載の移動端末装置。
【請求項５】
前記上り通信チャネルが上り共有チャネルであることを特徴とする請求項３記載の移動端末装置。
【請求項６】
前記報告情報は、ＣＱＩ又はＡＣＫ／ＮＡＣＫであることを特徴とする請求項１から請求項５のいずれかに記載の移動端末装置。
【請求項７】
相対的に狭いシステム帯域をコンポーネントキャリアとし、複数のコンポーネントキャリアを集合化してなる相対的に広いシステム帯域に割り当てられた上下リンクで送受信する無線通信システムの無線基地局装置であって、前記無線基地局装置は、下りリンクに割り当てられた個々のコンポーネントキャリアの報告情報を含む下り制御信号を抽出する制御信号抽出手段と、抽出された制御信号をデータ復調・復号するデータ復調・復号手段と、を具備することを特徴とする無線基地局装置。
【請求項８】
前記制御信号抽出手段及び前記データ復調・復号手段は、下りリンクに割り当てられた、相対的に狭いシステム帯域用のコンポーネントキャリア毎にあることを特徴とする請求項７記載の無線基地局装置。
【請求項９】
前記制御信号抽出手段は、相対的に広いシステム帯域用の集合化されたコンポーネントキャリアの制御信号を抽出することを特徴とする請求項７記載の無線基地局装置。
【請求項１０】
前記報告情報は、ＣＱＩ又はＡＣＫ／ＮＡＣＫであることを特徴とする請求項７から請求項９のいずれかに記載の無線基地局装置。
【発明の詳細な説明】
【技術分野】
【０００１】
本発明は、次世代移動通信システムにおける移動端末装置及び無線基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（無線基地局装置や移動端末装置など）が必要となることが考えられる。
【非特許文献１】3GPP,  TR25.912  (V7.1.0),  "Feasibility  study  for  Evolved  UTRA  and  UTRAN",  Sept.  2006
【発明の開示】
【発明が解決しようとする課題】
【０００４】
本発明はかかる点に鑑みてなされたものであり、複数の移動通信システムが混在する際において、それぞれの移動通信システムに対応する移動端末装置及び無線基地局装置を提供することを目的とする。
【課題を解決するための手段】
【０００５】
本発明の移動端末装置は、相対的に狭いシステム帯域をコンポーネントキャリアとし、複数のコンポーネントキャリアを集合化してなる相対的に広いシステム帯域に割り当てられた上下リンクで送受信する無線通信システムの移動端末装置であって、前記移動端末装置は、下りリンクに割り当てられた個々のコンポーネントキャリアの報告情報を含む上り制御信号を符号化・データ変調する符号化・データ変調手段と、前記符号化・データ変調後の制御信号を上り通信チャネルにマッピングするマッピング手段と、を具備することを特徴とする。
【０００６】
本発明の無線基地局装置は、相対的に狭いシステム帯域をコンポーネントキャリアとし、複数のコンポーネントキャリアを集合化してなる相対的に広いシステム帯域に割り当てられた上下リンクで送受信する無線通信システムの無線基地局装置であって、前記無線基地局装置は、下りリンクに割り当てられた個々のコンポーネントキャリアの報告情報を含む下り制御信号を抽出する制御信号抽出手段と、抽出された制御信号をデータ復調・復号するデータ復調・復号手段と、を具備することを特徴とする。
【発明の効果】
【０００７】
本発明においては、相対的に狭いシステム帯域をコンポーネントキャリアとし、複数のコンポーネントキャリアを集合化してなる相対的に広いシステム帯域に割り当てられた上下リンクで送受信する無線通信システムで、下りリンクに割り当てられた個々のコンポーネントキャリアの報告情報を含む上り制御信号を、相対的に狭いシステム帯域用の制御チャネル又は相対的に広いシステム帯域用の制御チャネル又は共通チャネルで送信するので、複数の移動通信システムが混在する場合においても、それぞれの移動通信システムに対応してＣＱＩ（Channel  Quality  Indicator）やＡＣＫ／ＮＡＣＫのような報告情報を効率良く送ることが可能となる。
【発明を実施するための最良の形態】
【０００８】
図１は、下りリンクで移動通信が行われる際の周波数使用状態を説明するための図である。図１に示す例は、相対的に広い第１システム帯域を持つ第１移動通信システムであるＬＴＥ−Ａシステムと、相対的に狭い第２システム帯域を持つ第２移動通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数領域（コンポーネントキャリア：ＣＣ）となっている。このように複数の基本周波数領域を一体として広帯域化することをキャリアアグリゲーションという。
【０００９】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１０】
このように広帯域化された周波数帯域での無線通信においては、下りリンクに割り当てる周波数帯域と、上りリンクに割り当てられる周波数帯域とが非対称となることが想定される。例えば、図２に示すように、周波数分割複信（ＦＤＤ）において、１送信時間間隔（ＴＴＩ）で上りリンク（ＵＬ）と下りリンク（ＤＬ）とが非対称な帯域幅となっており、時間分割複信（ＴＤＤ）において、下りリンクの帯域幅に複数の上りリンクが割り当てられて上りリンク（ＵＬ）と下りリンク（ＤＬ）とが非対称な帯域幅となっている。
【００１１】
ＬＴＥシステムで用いられる処理手順は、このように上りリンク（ＵＬ）と下りリンク（ＤＬ）とが非対称な帯域幅となっているシステムに対応することができない。このため、広帯域化された周波数帯域を利用することができるシステムであっても、基本周波数領域にしか対応することができず、広帯域化された周波数帯域を有効に利用することができない。このため、ＣＱＩ（Channel  Quality  Indicator）やＡＣＫ／ＮＡＣＫのような報告情報を効率良く送る方法がないのが現状である。
【００１２】
本発明者らは上記の点に着目して本発明をするに至った。すなわち、本発明の骨子は、相対的に狭いシステム帯域をコンポーネントキャリアとし、複数のコンポーネントキャリアを集合化してなる相対的に広いシステム帯域に割り当てられた上下リンクで送受信する無線通信システムで、下りリンクに割り当てられた個々のコンポーネントキャリアの報告情報を含む上り制御信号を、相対的に狭いシステム帯域用の制御チャネル又は相対的に広いシステム帯域用の制御チャネル又は共通チャネルで送信することにより、複数の移動通信システムが混在する場合においても、それぞれの移動通信システムに対応してＣＱＩやＡＣＫ／ＮＡＣＫのような報告情報を効率良く送ることである。
【００１３】
以下、本発明の実施の形態について、添付図面を参照して詳細に説明する。
本発明においては、相対的に狭いシステム帯域（ＬＴＥシステムの基本周波数帯域）をコンポーネントキャリアとし、複数のコンポーネントキャリアを集合化してなる相対的に広いシステム帯域（ＬＴＥ−Ａシステムの集合化された周波数帯域）に割り当てられた上下リンクで送受信する無線通信システムにおける報告情報の送信について規定している。このような無線通信システムにおいては、図３に示すように、ランダムアクセス時についてはＬＴＥシステムと同様にしてペアバンド（ＤＣＣ＃２−ＵＣＣ＃１）を確定し、そのペアバンドを用いて、ＵＥ能力情報やペアバンド割り当て情報を送受信して広帯域に割り当てられたペアバンド（ＤＣＣ＃１，ＤＣＣ＃２，ＤＣＣ＃３−ＵＣＣ＃１，ＵＣＣ＃２）を確定する。このため、複数の移動通信システム（ＬＴＥシステムとＬＴＥ−Ａシステム）が混在する場合において、それぞれの移動通信システムに対応することが可能となる。
【００１４】
ここで、上記無線通信システムにおける初期アクセスについて説明する。まず、移動端末装置において、複数の下りＣＣのうちいずれかの下りＣＣに含まれる同期チャネル信号を用いてセルサーチする。このとき、セルサーチして接続するＣＣを初期下りＣＣとする。ここでは、図３に示す例においては、下りＣＣ（ＤＣＣ）＃２を初期下りＣＣとする。
【００１５】
無線基地局装置は、初期下りＣＣの情報（帯域幅、アンテナ数など）を含む報知チャネル信号を送信し、移動端末装置は、その報知チャネル信号を受信する。また、無線基地局装置は、初期下りＣＣと対となる上りＣＣの情報（帯域幅、中心周波数）を含む報知情報信号（ＤＢＣＨ信号）をＤＢＣＨ（Dynamic  Broadcast  Channel）で送信し、移動端末装置は、その報知情報信号を受信する。ここでは、図３に示すように、ＤＣＣ＃２の対となる上りＣＣはＵＣＣ＃１である。
【００１６】
このとき、移動端末装置は、受信した報知チャネル信号の初期下りＣＣの情報（帯域幅、アンテナ数）を用いて、下り受信信号の帯域幅を抽出できるようにすると共に、下り受信中心周波数を制御する。また、移動端末装置は、受信した報知情報信号の初期下りＣＣと対となる上りＣＣの情報（帯域幅、中心周波数）を用いて、上り送信信号の帯域幅を制限すると共に、上り送信中心周波数を制御する。これにより、初期下りＣＣ（ＤＣＣ＃２）と上りＣＣ（ＵＣＣ＃１）のペアバンドを決定する（ＬＴＥのペアバンド）。
【００１７】
また、無線基地局装置は、ＬＴＥ−Ａ端末であるかどうかを識別できるＲＡＣＨパラメータを含む報知情報信号（ＤＢＣＨ信号）を送信し、移動端末装置は、その報知情報信号を受信する。移動端末装置は、受信したＲＡＣＨパラメータに基づいてＲＡＣＨ信号を生成し、そのＲＡＣＨ信号を上りＣＣ（ＵＣＣ＃１）で無線基地局装置に送信する（ランダムアクセス）。
【００１８】
無線基地局装置は、ＲＡＣＨ信号を受信すると、ＲＡＣＨ応答信号を初期下りＣＣ（ＤＣＣ＃２）で移動端末装置に送信する。移動端末装置は、ＲＡＣＨ応答信号を受信した後に、上り共有チャネル信号を生成し、上りＣＣ（ＵＣＣ＃１）のＰＵＳＣＨ（Physical  Uplink  Shared  Channel）で上り共有チャネル信号を無線基地局装置に送信する。このとき、上り共有チャネルには、自装置の送受信帯域幅の情報（ＵＥ能力情報）が含まれており、このＵＥ能力情報が無線基地局装置に通知される。
【００１９】
また、移動端末装置は、ＵＥ能力情報（自装置の送受信帯域幅の情報）を含む上り共有チャネル信号を上りＣＣ（ＵＣＣ＃１）で無線基地局装置に送信する。無線基地局装置においては、上り共有チャネル信号を受信すると、ＵＥ能力情報（ここでは２つのＣＣ分の帯域幅（４０ＭＨｚ））に基づいて上下ＣＣのペアバンドを割り当てる。ここでは、図３に示すように、上りリンクがＵＣＣ＃１，ＵＣＣ＃２であり、下りリンクがＤＣＣ＃１，ＤＣＣ＃２，ＤＣＣ＃３である。また、無線基地局装置は、制御信号（ＭＡＣ／ＲＲＣ制御信号）を、この下りＣＣ（ＤＣＣ＃２）のＰＤＳＣＨ（Physical  Downlink  Shared  Channel）で移動端末装置に送信する。このとき、制御信号（ＭＡＣ／ＲＲＣ制御信号）には、ペアバンド割り当て情報が含まれており、このペアバンド割り当て情報が移動端末装置に通知される。
【００２０】
次いで、移動端末装置においては、ペアバンド割り当て情報を含む制御信号を受信すると、このペアバンド割り当て情報に基づいて送受信処理部で周波数が調整（移動）される。具体的には、移動端末装置において、下りＣＣｓ（ＤＣＣ＃１，ＤＣＣ＃２，ＤＣＣ＃３）の帯域幅（集合化されたＣＣｓ）の中心周波数に調整し、下りＣＣｓ（ＤＣＣ＃１，ＤＣＣ＃２，ＤＣＣ＃３）の帯域幅で下り受信信号を抽出する。また、上りＣＣｓ（ＵＣＣ＃１，ＵＣＣ＃２）の帯域幅（集合化されたＣＣｓ）の中心周波数に調整し、上りＣＣｓ（ＵＣＣ＃１，ＵＣＣ＃２）の帯域幅に上り送信信号を制限する。これにより、移動端末装置は、割り当て後の広帯域の周波数帯域を用いて無線基地局装置と通信することができる。その後、移動端末装置は、下り制御情報（レイヤ１／レイヤ２制御信号）を受信し、ユーザＩＤを照合し、ユーザＩＤに対応する無線リソース割り当て情報を復号する（ブランインド復号）。その後、移動端末装置は、共有データチャネルを送受信する。
【００２１】
ここで、上記無線通信システムにおいて、下りリンクに割り当てられた個々のコンポーネントキャリアの報告情報を含む上り制御信号を、相対的に狭いシステム帯域（ＬＴＥシステム帯域）用の制御チャネル又は相対的に広いシステム帯域（ＬＴＥ−Ａシステム帯域）用の制御チャネル又は共通チャネルで送信する方法について説明する。
【００２２】
図４は、本発明の実施の形態に係る移動端末装置（ＬＴＥ−Ａ端末）の一部の構成を示す図である。また、図５は、本発明の実施の形態に係る無線基地局装置の一部の構成を示す図である。図４に示す移動端末装置は、下りリンクに割り当てられた個々のコンポーネントキャリア（ＣＣ）の報告情報を、ＬＴＥシステムの通信チャネルであるＰＵＣＣＨ（Physical  Uplink  Control  Channel）（制御チャネル）を用いて、各ＣＣで独立に送る。なお、ＬＴＥ端末についての報告情報の送信については通常と同様であるのでその説明は省略する。
【００２３】
図４に示す移動端末装置は、下りＣＣに対応する上り制御信号をＣＣ毎に符号化・データ変調する符号化・データ変調部１０１ａ〜１０１Ｎと、符号化・データ変調部１０１ａ〜１０１Ｎで符号化・データ変調された上り制御信号を下りＣＣに対応する上りＰＵＣＣＨにそれぞれマッピングする下りＣＣマッピング部１０２ａ〜１０２Ｎと、マッピング後のＰＵＣＣＨの上り送信信号を生成する上り送信信号生成部１０３とを有する。この上り制御信号は、下りリンクに割り当てられた個々のＣＣの報告情報（ＣＱＩ、ＡＣＫ／ＮＡＣＫ）を含む。このような構成を有する移動端末装置においては、符号化・データ変調部１０１ａ〜１０１Ｎが、下りリンクに割り当てられたＣＣ毎にあり、下りＣＣマッピング部が、各ＣＣに対応するＬＴＥシステム帯域用の上り制御チャネル（ＰＵＣＣＨ）にそれぞれの上り制御信号をマッピングする。すなわち、この移動端末装置においては、各下りＣＣに対応する上り制御信号を独立に符号化・データ変調し、独立に送信する。
【００２４】
図５に示す無線基地局装置は、上り受信信号から通信中の移動端末装置の上り受信信号を分離する上り受信信号分離部２０１と、分離された上り受信信号から下りＣＣに対応する上りＰＵＣＣＨをＣＣ毎にそれぞれ抽出する下りＣＣ抽出部２０２ａ〜２０２Ｎと、抽出されたＰＵＣＣＨの上り制御信号をＣＣ毎にそれぞれデータ復調・復号するデータ復調・復号部２０３ａ〜２０３Ｎとを有する。この上り制御信号は、下りリンクに割り当てられた個々のＣＣの報告情報（ＣＱＩ、ＡＣＫ／ＮＡＣＫ）を含む。このような構成を有する無線基地局装置においては、下りＣＣ抽出部２０２ａ〜２０２Ｎ及びデータ復調・復号部２０３ａ〜２０３Ｎが、下りリンクに割り当てられた、ＬＴＥシステム帯域用のＣＣ毎にある。すなわち、この無線基地局装置においては、各下りＣＣに対応する上り制御信号を独立に受信し、独立にデータ復調・復号する。
【００２５】
図４に示す移動端末装置（ＬＴＥ−Ａ端末）が、各下りＣＣに対応する上り制御信号を独立に符号化・データ変調し、独立に送信することにより、広帯域化した周波数帯域（ＬＴＥ−Ａシステムの帯域）において、下りリンクに割り当てられた個々のＣＣの報告情報（ＣＱＩ、ＡＣＫ／ＮＡＣＫ）を含む上り制御信号を効率良く送ることが可能となる。このため、複数の移動通信システムが混在する場合においても、それぞれの移動通信システムに対応してＣＱＩやＡＣＫ／ＮＡＣＫのような報告情報を効率良く送ることが可能となる。
【００２６】
図６は、本発明の実施の形態に係る移動端末装置（ＬＴＥ−Ａ端末）の一部の構成を示す図である。図６において、図４と同じ部分については図４と同じ符号を付してその詳細な説明は省略する。また、図７は、本発明の実施の形態に係る無線基地局装置の一部の構成を示す図である。図７において、図５と同じ部分については図５と同じ符号を付してその詳細な説明は省略する。
【００２７】
図６に示す移動端末装置は、下りＣＣに対応する上り制御信号を結合する上り制御信号結合部１０４と、結合された上り制御信号（集合化されたＣＣの上り制御信号）を符号化・データ変調する符号化・データ変調部１０５と、符号化・データ変調部１０５で符号化・データ変調された上り制御信号をＬＴＥ−Ａフォーマットで割り当てられるＰＵＣＣＨにマッピングするＰＵＣＣＨマッピング部１０６ａと、符号化・データ変調部１０５で符号化・データ変調された上り制御信号をＬＴＥ−Ａフォーマットで割り当てられるＰＵＳＣＨに上り送信データと共にマッピングするＰＵＳＣＨマッピング部１０６ｂと、マッピング後のＰＵＣＣＨの上り送信信号又はＰＵＳＣＨの上り送信信号を生成する上り送信信号生成部１０３とを有する。
【００２８】
図６に示す移動端末装置は、下りリンクに割り当てられた個々のＣＣの報告情報を含む制御信号を結合して集合化されたＣＣとし、集合化されたＣＣに対応するＬＴＥ−Ａシステムの通信チャネルであるＰＵＣＣＨ（制御チャネル）又はＰＵＳＣＨ（Physical  Uplink  Shared  Channel）（共有チャネル）を用いて送る。図６に示す移動端末装置において、ＰＵＳＣＨ送信がない場合には、ＰＵＣＣＨで上り制御信号を送信し、ＰＵＳＣＨ送信がある場合には、ＰＵＳＣＨで上り制御信号を送信する。この上り制御信号は、下りリンクに割り当てられた個々のＣＣの報告情報（ＣＱＩ、ＡＣＫ／ＮＡＣＫ）を結合した報告情報を含む。この移動端末装置においては、各下りＣＣに対応する上り制御信号を結合し、ジョイント符号化し、データ変調した後で送信する。なお、この場合においても、ＬＴＥ端末についての報告情報の送信については通常と同様であるのでその説明は省略する。
【００２９】
ＬＴＥ−Ａシステムにおいては、図８に示すようなフォーマットで上り送信信号を送信する。このようなフォーマットにおいては、ＬＴＥシステムにおけるフォーマットよりも伝送できるので、上述した方法で報告情報を含む上り制御信号を効率良く送信することが可能となる。図６において、上り制御信号をＬＴＥ−ＡシステムのＰＵＣＣＨにマッピングする場合には、図８に示す制御チャネル４１で上り制御信号が送信され、上り制御信号をＬＴＥ−ＡシステムのＰＵＳＣＨにマッピングする場合には、図８に示す共有チャネル４２で上り制御信号が送信される。
【００３０】
図７に示す無線基地局装置は、上り受信信号から通信中の移動端末装置の上り受信信号を分離する上り受信信号分離部２０１と、分離された上り受信信号から下りＣＣに対応する上りＰＵＣＣＨを抽出するＰＵＣＣＨ抽出部２０４ａと、分離された上り受信信号から下りＣＣに対応する上りＰＵＳＣＨを抽出するＰＵＳＣＨ抽出部２０４ｂと、抽出されたＰＵＣＣＨの上り制御信号又はＰＵＳＣＨの上り制御信号をデータ復調・復号するデータ復調・復号部２０５と、データ復調・復号後の制御信号を下りＣＣ毎に分割する上り制御信号分割部２０６とを有する。このような構成を有する無線基地局装置においては、ＰＵＣＣＨ抽出部２０４ａ又はＰＵＳＣＨ抽出部２０４ｂでＬＴＥ−Ａシステム帯域用の集合化されたＣＣの全体の報告情報を含む上り制御信号を抽出し、その上り制御信号をデータ復調・復号した後に、下りＣＣ毎に分割する。
【００３１】
図６に移動端末装置（ＬＴＥ−Ａ端末）が、ＬＴＥ−Ａシステム帯域用の集合化されたＣＣの全体の報告情報を含む上り制御信号を抽出し、その上り制御信号をデータ復調・復号することにより、広帯域化した周波数帯域（ＬＴＥ−Ａシステムの帯域）において、下りリンクに割り当てられた個々のＣＣの報告情報（ＣＱＩ、ＡＣＫ／ＮＡＣＫ）を含む上り制御信号を効率良く送ることが可能となる。このため、複数の移動通信システムが混在する場合においても、それぞれの移動通信システムに対応してＣＱＩやＡＣＫ／ＮＡＣＫのような報告情報を効率良く送ることが可能となる。また、上述したように、移動端末装置がジョイント符号化して個々のＣＣの報告情報を送信することにより、無線基地局装置での誤り率を改善することが可能となる。
【００３２】
本発明は上記実施の形態に限定されず、種々変更して実施することが可能である。上記実施の形態においては、報告情報がＣＱＩ、ＡＣＫ／ＮＡＣＫである場合について説明しているが、本発明はこれに限定されず、上りリンクで報告する情報であれば特に制限はない。例えば、本発明の範囲を逸脱しない限りにおいて、上記説明におけるコンポーネントキャリアの割り当て、処理部の数、処理手順、コンポーネントキャリアの数、コンポーネントキャリアの集合数については適宜変更して実施することが可能である。その他、本発明の範囲を逸脱しないで適宜変更して実施することが可能である。
【図面の簡単な説明】
【００３３】
【図１】ＬＴＥシステムのシステム帯域を説明するための図である。
【図２】下りリンクと上りリンクの周波数帯域の非対称を説明するための図である。
【図３】ＬＴＥ−Ａシステムにおけるペアバンド割り当てを説明するための図である。
【図４】本発明の実施の形態に係る移動端末装置の一部の構成を示す図である。
【図５】本発明の実施の形態に係る無線基地局装置の一部の構成を示す図である。
【図６】本発明の実施の形態に係る移動端末装置の一部の構成を示す図である。
【図７】本発明の実施の形態に係る無線基地局装置の一部の構成を示す図である。
【図８】ＬＴＥ−Ａシステムにおける上り送信信号のフォーマットの一例を示す図である。
【符号の説明】
【００３４】
１０１ａ〜１０１Ｎ，１０５  符号化・データ変調部
１０２ａ〜１０２Ｎ  下りＣＣマッピング部
１０３  上り送信信号生成部
１０４  上り制御信号結合部
２０１  上り受信信号分離部
２０２ａ〜２０２Ｎ  下りＣＣ抽出部
２０３ａ〜２０３Ｎ，２０５  データ復調・復号部
２０４ａ  ＰＵＣＣＨ抽出部
２０４ｂ  ＰＵＳＣＨ抽出部
２０６  上り制御信号分割部
【図１】
2010074754.tif 000003
【図２】
2010074754.tif 000004
【図３】
2010074754.tif 000005
【図４】
2010074754.tif 000006
【図５】
2010074754.tif 000007
【図６】
2010074754.tif 000008
【図７】
2010074754.tif 000009
【図８】
2010074754.tif 000010